(57)【要約】      （修正有）【課題】効率的に複数の冷却対象を冷却可能な画像投影装置を提供する。【解決手段】内側筐体６０は、光源の熱が伝わる第一冷却対象６１と、反射型表示素子の熱が伝わる第二冷却対象６２とが外側に露出するように、少なくとも光源と反射型表示素子とを収納し、外側筐体１０は、内側筐体６０を内部に収納し、ファン５０により発生する気流により外側筐体１０内に空気を流入する第一吸気口３１と、外側筐体１０の外に空気を排出する排気口４０と、第一吸気口３１から排気口４０へと向かう第一の気流５１の第二通気路Ｐ２の間に位置し、外側筐体１０内に空気を流入し、排気口４０に向かう第二の気流５２を発生させる第二吸気口３２と、を備え、第二吸気口３２は、内側筐体６０に向けて突出し、第二の気流５２を第二冷却対象６２に向ける。【選択図】図３
2017156482.tif 000002
【特許請求の範囲】
【請求項１】
照明光を出射する光源と、
前記光源からの照明光を変調した投影光を所定方向に投影する反射型表示素子と、
前記光源の熱が伝わる第一冷却対象と、前記反射型表示素子の熱が伝わる第二冷却対象と、が外側に露出するように、少なくとも前記光源と前記反射型表示素子とを収納する第一筐体と、
前記第一筐体を収納する第二筐体と、
前記第二筐体内に気流を発生させるファンと、を備え、
前記第二筐体は、前記ファンにより発生した前記気流により前記第二筐体内に空気を流入する第一吸気口と、前記第二筐体外に空気を排出する排気口と、前記第一吸気口から前記排気口へと向かう第一の気流の経路の間に位置し、前記第二筐体内に空気を流入し、前記排気口に向かう第二の気流を発生させる第二吸気口と、を備え、
前記第二吸気口は、前記第一筐体に向けて突出し、前記第二の気流を前記第一冷却対象または前記第二冷却対象のいずれか一方の冷却対象に向ける、
ことを特徴とする画像投影装置。
【請求項２】
前記第二筐体は、前記第一吸気口と前記排気口とを対向する面に設ける、ことを特徴とする請求項１に記載の画像投影装置。
【請求項３】
前記第一筐体は、前記第一冷却対象を設ける面および前記第二冷却対象を設ける面のそれぞれが、前記第二筐体の前記第一吸気口が設けられた面に対して概ね垂直になるように配置される、
ことを特徴とする請求項１または請求項２に記載の画像投影装置。
【請求項４】
前記第一筐体は、前記第一冷却対象と前記第二冷却対象とを対向する面に設ける、
ことを特徴とする請求項３に記載の画像投影装置。
【請求項５】
前記第一筐体は、前記第一冷却対象または前記第二冷却対象が設けられていない面であり、かつ前記第二筐体の前記第一吸気口または前記排気口が設けられている面と対向しない面に第二筐体と係合する係合部を設ける、
ことを特徴とする請求項４に記載の画像投影装置。
【請求項６】
前記第一筐体は、前記一方の冷却対象が設けられる面と前記第二筐体との間の距離が、他方の冷却対象が設けられる面と前記第二筐体との間の距離よりも短くなるように配置される、
ことを特徴とする請求項１乃至５のいずれか一項に記載の画像投影装置。
【請求項７】
前記第二吸気口は、前記第一吸気口から前記排気口へと向かう前記第一の気流の経路に延在し、前記第一冷却対象または前記第二冷却対象のいずれか一方に前記第一の気流の一部を導く導流壁を有する、
ことを特徴とする請求項１乃至６のいずれか一項に記載の画像投影装置。
【請求項８】
前記第二吸気口は、前記一方の冷却対象に概ね垂直の方向から当たるように前記第二の気流を向ける、
ことを特徴とする請求項１乃至７のいずれか一項に記載の画像投影装置。
【請求項９】
前記第二吸気口は、前記一方の冷却対象に向かう前記第二の気流が、前記第一の気流に沿った方向において前記一方の冷却対象の中心よりも前記第一吸気口側に当たるようにオフセットされている、
ことを特徴とする請求項８に記載の画像投影装置。
【請求項１０】
前記第二筐体は、前記第一の筐体に向かうにしたがって縮径された筒状に形成される、
ことを特徴とする請求項１乃至９のいずれか一項に記載の画像投影装置。
【請求項１１】
前記第一筐体は、熱伝導率の高いフィラーが添加されているフィラー入り樹脂、または金属で構成され、前記第一冷却対象および前記第二冷却対象の少なくとも一方と接続される、
ことを特徴とする請求項１乃至１０のいずれか一項に記載の画像投影装置。
【発明の詳細な説明】
【技術分野】
【０００１】
本発明は、画像投影装置に関する。
【背景技術】
【０００２】
画像投影装置としては、特許文献１に開示されているように、ＤＭＤ（Ｄｉｇｉｔａｌ  Ｍｉｃｒｏｍｉｒｒｏｒ  Ｄｅｖｉｃｅ）などの反射型表示素子と、光源などから主に構成され、光源からの光を反射型表示素子で反射することで所定箇所に空間光変調した投影光を投影する。光源は、光を発する際に自己発熱により温度が上昇し、反射型表示素子も光源からの光を受けることにより温度が上昇する。光源および反射型表示素子は、温度上昇することで動作が正常に行われず、投影する画像の表示品位の低下や光源，反射型表示素子の寿命が短くなってしまう恐れがあった。
【０００３】
特許文献１に記載の画像投影装置は、反射型表示素子の背面に接続されたヒートシンクと光源とをダクトで接続し、ダクトにファンを設けることで、反射型表示素子に接続されたヒートシンクから光源へ気流を発生させ、ファンで発生した気流により反射型表示素子と光源との双方を効率よく冷却するものである。
【先行技術文献】
【特許文献】
【０００４】
【特許文献１】特開２００６−２９３１７７号公報
【発明の概要】
【発明が解決しようとする課題】
【０００５】
しかしながら、特許文献１に記載の画像投影装置では、反射型表示素子（冷却対象）を冷却した温まった空気で光源（冷却対象）を冷却する構成であるため、気流の下流に位置する光源の冷却効率が低下するおそれがあった。
【０００６】
本発明は、上記問題を鑑みてなされたものであり、効率的に複数の冷却対象を冷却可能な画像投影装置を提供することを目的とする。
【課題を解決するための手段】
【０００７】
上記目的を達成するため、本発明に係る画像投影装置は、照明光を出射する光源と、
前記光源からの照明光を変調した投影光を所定方向に投影する反射型表示素子と、
前記光源の熱が伝わる第一冷却対象と、前記反射型表示素子の熱が伝わる第二冷却対象と、が外側に露出するように、少なくとも前記光源と前記反射型表示素子とを収納する第一筐体と、
前記第一筐体を収納する第二筐体と、
前記第二筐体内に気流を発生させるファンと、を備え、
前記第二筐体は、前記ファンにより発生した前記気流により前記第二筐体内に空気を流入する第一吸気口と、前記第二筐体外に空気を排出する排気口と、前記第一吸気口から前記排気口へと向かう第一の気流の経路の間に位置し、前記第二筐体内に空気を流入し、前記排気口に向かう第二の気流を発生させる第二吸気口と、を備え、
前記第二吸気口は、前記第一筐体に向けて突出し、前記第二の気流を前記第一冷却対象または前記第二冷却対象のいずれか一方の冷却対象に向ける導流壁を有するものである。
【発明の効果】
【０００８】
本発明によれば、ファンが発生させた第二筐体内の第一の気流により複数の冷却対象を空冷し、ファンが発生させた第二の気流により単数の冷却対象を局所的に空冷し、少ないファンで効率的に複数の冷却対象を冷却することができる。
【図面の簡単な説明】
【０００９】
【図１】本発明の第一実施形態における画像投影装置の斜視図である。
【図２】上記実施形態の画像投影装置の分解斜視図である。
【図３】上記実施形態の画像投影装置のＹＺ平面における断面図である。
【図４】上記実施形態における第二吸気口と第二冷却対象との配置を説明する図である。
【図５】本発明の第二実施形態における画像投影装置の概略断面図である。
【図６】本発明の第三実施形態における画像投影装置の概略断面図である。
【図７】本発明の第四実施形態における画像投影装置の概略断面図である。
【図８】本発明の第五実施形態における画像投影装置の概略断面図である。
【図９】本発明の第六実施形態における画像投影装置の概略断面図である。
【発明を実施するための形態】
【００１０】
以下、本発明の実施形態の画像投影装置１について、図を参照して説明する。まず、画像投影装置１の構成を説明し、その後に本発明特有の冷却構造について説明する。なお、本実施形態の説明では、部品の配置などをわかりやすくするために、それぞれが直交する方向をＸ方向，Ｙ方向，Ｚ方向を用いる。
【００１１】
（第一実施形態）
図１は、本発明の第一実施形態の画像投影装置１の斜視図である。
画像投影装置１は、画像を示す投影光（図示しない）を生成し、出射するものであり、光学部品などを収納する内側筐体６０と、この内側筐体６０を収納する外側筐体１０で構成される。
【００１２】
外側筐体（第二筐体）１０は、例えば、樹脂材料や樹脂材料と金属材料とを組み合わせて形成され、ＸＺ平面に平行であってＹの負方向に位置する第一の壁１１と、ＸＺ平面に平行であってＹの正方向に位置する第二の壁１２と、ＹＺ平面に平行であってＸの正方向に位置する第三の壁１３と、ＹＺ平面に平行であってＸの負方向に位置する第四の壁１４と、ＸＹ平面に平行であってＺの正方向に位置する第五の壁１５と、ＸＹ平面に平行であってＺの負方向に位置する第六の壁１６と、を有する直方体（六面体）で構成される。
【００１３】
外側筐体１０は、例えば、一つの面（第一の壁１１）が他の面とは分離可能であり、第二の壁１２，第三の壁１３，第四の壁１４，第五の壁１５，第六の壁１６からなる凹状の内部に後述する内側筐体６０などを配置した後、第一の壁１１で蓋をすることで、外側筐体１０の内部に光学部品などを収納する。なお、外側筐体１０は、３つ以上の部品に分離可能に形成されてもよい。
【００１４】
外側筐体１０は、後述する内側筐体６０から出射される前記投影光を外部に向けて透過する透光部２０と、内部に空気を流入する第一吸気口３１，第二吸気口３２と、外部に空気を排出する排気口４０と、を備える。排気口４０には、外側筐体１０の内部に気流を発生させる例えば軸流ファンからなるファン５０が設けられる。このファン５０の駆動によって、外側筐体１０の内部の空気が排気口４０から排出され、外側筐体１０内部の圧力が大気圧（画像投影装置１の外部の圧力）より低下することで、第一吸気口３１と第二吸気口３２とから外側筐体１０の内部に空気が流入する。すなわち、ファン５０は、外側筐体１０の内部に第一吸気口３１と第二吸気口３２とから排気口４０に向かう気流（後述する第一の気流５１，第二の気流５２）を発生させる。外側筐体１０の内部に収納される後述する内側筐体６０は、第一冷却対象６１，第二冷却対象６２を有している。外側筐体１０の内部に発生した前記気流により、第一冷却対象６１，第二冷却対象６２を空冷する。本実施形態の外側筐体１０において、第一吸気口３１は、第五の壁１５に設けられ、第二吸気口３２は、第二の壁１２に設けられ、排気口４０は、第一吸気口３１が設けられた面（第五の壁１５）と対向する面（第六の壁１６）に設けられる。
【００１５】
透光部２０は、例えば、開口であり、後述する内側筐体６０の投射部６３が嵌合される。これにより、外側筐体１０に設けられる内外を繋ぐ開口は、実質的に、第一吸気口３１，第二吸気口３２，排気口４０のみとなる。このように外側筐体１０に設けられる実質的な開口を、吸気口（第一吸気口３１，第二吸気口３２）と排気口４０のみにすることで、吸気口（第一吸気口３１，第二吸気口３２）から排気口４０に向けた気流が整い、効率よく温められた空気が排出され、冷却効率を向上させることができる。
【００１６】
図２は、画像投影装置１の分解斜視図である。
外側筐体１０は、前記光学部品を収納する内側筐体６０と、内側筐体６０の第二冷却対象６２の冷却効率を向上させるヒートシンク７１と、を収納する。
【００１７】
内側筐体６０は、前述した光学部品である、照明光を出射する光源（図示しない）と、前記光源からの前記照明光を変調した投影光を所定方向に投影する反射型表示素子（図示しない）と、前記光源からの照明光を前記反射型表示素子に透過し、前記反射型表示素子が生成した前記投影光を所定の方向に反射するプリズム（図示しない）と、前記投影光を調整して内側筐体６０（外側筐体１０）の外部に出射するレンズ（図示しない）と、を収納する。
【００１８】
内側筐体６０は、前記光源の熱が伝わる第一冷却対象６１と、前記反射型表示素子の熱が伝わる第二冷却対象６２と、を外側に露出させる。内側筐体６０における第一冷却対象６１および第二冷却対象６２のレイアウトは任意であるが、本実施形態のように、第一冷却対象６１が露出する面と、第二冷却対象６２が露出する面とを対向させることで、第一冷却対象６１と第二冷却対象６２と熱的な干渉を防ぐことが可能である。また、内側筐体６０は、外部に前記投射光を出射する投射部６３を外側に向けて突設する。
【００１９】
第一冷却対象６１は、熱伝導性が高い材料で形成され、例えば、前記光源が実装されるアルミニウム材などで形成された回路基板である。第一冷却対象６１は、後述するヒートシンク７１が接続され、前記光源が発した熱をヒートシンク（放熱部）７１から放熱するようにしている。なお、第一冷却対象６１は、前記光源を実装した前記回路基板に接続された熱伝導性の高い部材であってもよい。
【００２０】
第二冷却対象６２は、例えば、前記反射型表示素子の反射表示面の背面側に位置する発熱部（図示しない）である。第二冷却対象６２は、内側筐体６０の外壁から内側に窪んだ凹部Ｓに配置される。
【００２１】
内側筐体６０は、第一冷却対象６１が露出する面および第二冷却対象６２が露出する面が、第一吸気口３１が設けられた第五の壁１５および排気口４０が設けられた第六の壁１６に対して垂直（９０度）になるように、外側筐体１０内に配置される。これにより、第一吸気口３１から排気口４０に向かう第一の気流５１が、外側筐体１０の第一冷却対象６１が露出する面および第二冷却対象６２が露出する面に沿って流れやすくなり（排気効率が向上し）、延いては第一冷却対象６１および第二冷却対象６２の冷却効率を向上させることができる。なお、第一冷却対象６１が露出する面および第二冷却対象６２が露出する面は、第一吸気口３１が設けられた第五の壁１５および排気口４０が設けられた第六の壁１６に対して概ね垂直（具体的には、８０〜９０度）になっていればよい。
【００２２】
内側筐体６０は、図示しないビスなどにより外側筐体１０の内部に係合される。内側筐体６０は、第一冷却対象６１または第二冷却対象６２が露出していない面であり、かつ外側筐体１０の第一吸気口３１が設けられた第五の壁１５または排気口４０が設けられた第六の壁１６に対向しない面（図２のＹＺ平面に平行な面）に、外側筐体１０と係合する図示しない係合部を設ける。これにより第一吸気口３１から排気口４０に向かう後述する第一の気流５１が、内側筐体６０における第一冷却対象６１が露出する面および第二冷却対象６２が露出する面に向かいやすくなり、冷却効率を向上させることができる。
【００２３】
また、内側筐体６０は、例えば、樹脂で構成されるが、熱伝導率の高いフィラーが添加されているフィラー入り樹脂、または金属で構成され、内側筐体６０自身で内部の熱（前記光源や前記反射型表示素子が発する熱）を放熱してもよい。
ポリカーボネート（ＰＣ）樹脂は、熱伝導率が０．２３Ｗ／ｍＫである。内側筐体６０に適用される金属としては、例えば、ＰＣ樹脂の４１７倍もの熱伝導率を有するアルミニウム鋳物（ＡＤＣ１２）やＰＣ樹脂の２０９倍もの熱伝導率を有するマグネシウム鋳物など、例えばＰＣ樹脂の１００倍以上の熱伝導率を有するものである。また、内側筐体６０に適用されるフィラー入り樹脂としては、例えば、ＰＣ樹脂の４３倍もの熱伝導率を有するカーボンファイバー入り樹脂など、例えばＰＣ樹脂の２０倍以上の熱伝導率を有するものである。
【００２４】
以上が本実施形態における画像投影装置１の画像投影に関する構成であり、これより本発明特有の冷却構造の実施形態を説明する。
【００２５】
（冷却構造）
本実施形態における画像投影装置１の冷却構造は、前記光源と前記反射型表示素子との双方を同時に冷却するものであり、前記光源の熱が伝わる第一冷却対象６１と前記反射型表示素子の熱が伝わる第二冷却対象６２とを外側に向けて露出するように、前記光源と前記反射型表示素子を収納する内側筐体６０と、この内側筐体６０の外側に配置され、内側筐体６０の壁との間で後述する通気路Ｐ（Ｐ１，Ｐ２，Ｐ３，Ｐ４）を形成する外側筐体１０と、通気路Ｐ（Ｐ１）上に配置されるヒートシンク７１と、通気路Ｐ内に気流（第一の気流５１，第二の気流５２）を発生させるファン５０と、から構成される。
【００２６】
図３は、外側筐体１０のＹＺ平面における断面図である。
【００２７】
第一吸気口３１は、内側筐体６０の第一冷却対象６１が露出する面および第二冷却対象６２が露出する面のいずれにも対向しない外側筐体１０の面（第五の壁１５）に設けられる開口である。第一吸気口３１の形状は、任意であるが、第一冷却対象６１が露出する面および第二冷却対象６２が露出する面と平行であり、かつ第一吸気口３１の空気の流入方向（Ｚ軸方向）に垂直な方向（Ｘ軸方向）に長い複数のスリットで形成される。言い換えれば、第一吸気口３１は、内側筐体６０の第一冷却対象６１から第二冷却対象６２に向かう方向（Ｙ軸方向）において、複数の開口が並んで形成される。
【００２８】
排気口４０は、第一吸気口３１と対向する外側筐体１０の面（第六の壁１６）に設けられる矩形状の開口であり、ファン５０が取付けられる。ファン５０が駆動することで、第一吸気口３１から外側筐体１０の内部に空気が流入し、排気口４０に向かう第一の気流５１が発生する。この第一の気流５１は、外側筐体１０と内側筐体６０との間に形成される通気路Ｐを経由して排気口４０から排出される。
【００２９】
通気路Ｐは、内側筐体６０の第一冷却対象６１が露出した面と、この第一冷却対象６１に対向する外側筐体１０の第一の壁１１とで挟まれた第一通気路Ｐ１と、内側筐体６０の第二冷却対象６２が露出した面と、この第二冷却対象６２に対向する外側筐体１０の第二の壁１２とで挟まれた第二通気路Ｐ２と、内側筐体６０と外側筐体１０の第三の壁１３で挟まれた第三通気路Ｐ３と、内側筐体６０と外側筐体１０の第四の壁１４で挟まれた第四通気路Ｐ４と、で構成される。前記反射型表示素子を冷却する第二通気路Ｐ２における外側筐体１０（第二の壁１２）と内側筐体６０との間の距離Ｄ１は、前記光源を冷却する第一通気路Ｐ１における外側筐体１０（第一の壁１１）と内側筐体６０との間の距離Ｄ２より小さい。言い換えると、内側筐体６０は、前記反射型表示素子を冷却する第二通気路Ｐ２の断面積が、前記光源を冷却する第一通気路Ｐ１よりも小さくなるように、外側筐体１０内に配置される。
【００３０】
第二吸気口３２は、第二冷却対象６２に対向する位置に、第二冷却対象６２に向かって突出し、その突出した頂点付近が開口したものであり、第二冷却対象６２に向かうにしたがい縮径するラッパ形状や円錐筒状で形成される。第二吸気口３２は、外側筐体１０の外から空気を取り入れて第二冷却対象６２に向かう第二の気流５２を発生させる。また、第二吸気口３２の外側の入口付近は、ベルマウス状に形成される。このように、第二吸気口３２を第二冷却対象６２に向かって縮径することで第二の気流５２の流速を速くすることができ、第二冷却対象６２をより効率的に空冷することができる。また、第二吸気口３２の外側の入口付近をベルマウス状に形成することで第二の気流５２の通風抵抗を低減することができ、第二の気流５２の流速をさらに速くすることができ、より多くの空気を第二冷却対象６２に吹き付けて冷却することができる。なお、導流壁３３は、曲面ではなく、前記反射型表示素子に向かって突出する平面で形成することも可能である。
【００３１】
第二吸気口３２は、その一部に、第二通気路Ｐ２を進行する第一の気流５１を受けて第二冷却対象６２の方へ風向を変える導流壁３３を有する。具体的には、第二吸気口３２のうち、第一吸気口３１に近い側の領域が導流壁３３に該当する。この導流壁３３を設けることにより、第一吸気口３１から流入して排気口４０に向かう第一の気流５１を用いて、第二冷却対象６２を局所的に冷却することが可能となる。
【００３２】
ヒートシンク７１は、例えばアルミニウムからなり、放射率の向上を図るためその表面にはアルマイト処理が施されている。ヒートシンク７１の一方は、前記光源の熱が伝わる第一冷却対象６１に接続され、他方は、第一通気路Ｐ１側に突出する放熱フィン７１ｆが形成される。ヒートシンク７１は、第一冷却対象６１を介した前記光源からの熱を、放熱フィン７１ｆから第一通気路Ｐ１を進行する空気（第一の気流５１）に放熱する。第一通気路Ｐ１内の空気は、気流として流れるのでヒートシンク７１から効率的に前記光源の熱を放熱することができる。
【００３３】
ファン５０は、例えば、軸流ファンであり、排気口４０付近に配置される。ファン５０は、外側筐体１０内の通気路Ｐ（第一通気路Ｐ１，第二通気路Ｐ２，第三通気路Ｐ３，第四通気路Ｐ４）に第一吸気口３１から排気口４０まで流れる第一の気流５１と、第二吸気口３２から排気口４０まで流れる第二の気流５２とを発生させる。
【００３４】
以下に、第二通気路Ｐ２内を通過する気流の流れについて以下に詳述する。
図３に示すように、第一吸気口３１から流入した空気により発生した第一の気流５１の一部は、導流壁３３に当たり、導流壁３３に沿って第二冷却対象６２に向かい、第二冷却対象６２を空冷する。一方、導流壁３３に当たらない第一の気流５１は、そのまま排気口４０に向かう。第二通気路Ｐ２を通過する第一の気流５１の流速は、導流壁３３に当ってから凹部Ｓを通過する風向を調整された第一の気流５１ａの流速より速いため、第二通気路Ｐ２の圧力は、凹部Ｓの圧力よりも低くなる。したがって、第二冷却対象６２（凹部Ｓ）に流入した風向を調整された第一の気流５１ａは、再び第二通気路Ｐ２側に引き寄せられる。すなわち、風向を調整された第一の気流５１ａが凹部Ｓで淀むことなく流れるため、第二冷却対象６２の冷却を円滑に行うことができる。
また、第二吸気口３２から流入した空気により発生した第二の気流５２は、第二冷却対象６２に向かい、第二冷却対象６２を空冷し、その後に第一の気流５１とともに排気口４０の方へ向かう。
【００３５】
なお、第二吸気口３２は、図４に示されるように、第二冷却対象６２に向かう第二の気流５２の中心５２ｐが、第一の気流５１に沿った方向（Ｚ方向）において第二冷却対象６２の中心６２ｐよりも第一吸気口３１側に当たるようにオフセットされてもよい。これにより、第二吸気口３２から流入された第二の気流５２を、第二冷却対象６２のより広い領域に沿わせることができ、第二の気流５２による冷却効率を向上させることができる。
【００３６】
また、前記反射型表示素子を冷却する第二通気路Ｐ２における外側筐体１０（第二の壁１２）と内側筐体６０との間の距離Ｄ１は、前記光源を冷却する第一通気路Ｐ１における外側筐体１０（第一の壁１１）と内側筐体６０との間の距離Ｄ２より小さくなるように、内側筐体６０を外側筐体１０内に配置している。これにより、第二通気路Ｐ２は、第一通気路Ｐ１に比べて第一の気流５１が流れにくくなり、第二通気路Ｐ２の圧力が低下するため、第二吸気口３２から空気が流入しやすくなり、第二吸気口３２から流入される第二の気流５２により、第二冷却対象６２を迅速に冷却することができる。
【００３７】
以上に説明したように本実施形態における画像投影装置１は、照明光を出射する光源と、前記光源からの照明光を変調した投影光を所定方向に投影する反射型表示素子と、前記光源の熱が伝わる第一冷却対象６１と、前記反射型表示素子の熱が伝わる第二冷却対象６２と、が外側に露出するように、少なくとも前記光源と前記反射型表示素子とを収納する内側筐体（第一筐体）６０と、この内側筐体６０を収納する外側筐体（第二筐体）１０と、外側筐体１０内に気流を発生させるファン５０と、を備え、外側筐体１０は、ファン５０により発生した第一の気流５１により外側筐体１０内に空気を流入する第一吸気口３１と、外側筐体１０外に空気を排出する排気口４０と、第一吸気口３１から排気口４０へと向かう第一の気流５１の第二通気路Ｐ２の間に位置し、外側筐体１０内に空気を流入し、排気口４０に向かう第二の気流５２を発生させる第二吸気口３２と、を備え、第二吸気口３２は、内側筐体６０に向けて突出し、第二の気流５２を前記第一冷却対象または前記第二冷却対象のいずれか一方の冷却対象に向ける。
このように、共通のファン５０が発生させる第一の気流５１により、第一冷却対象６１および第二冷却対象６２の双方を効率よく空冷することができる。また、前記光源と前記反射型表示素子を収納する内側筐体６０から露出する第一冷却対象６１および第二冷却対象６２を冷却するため、光学系の光路上に空冷用の空気の流路を設けずに済むため、塵埃などによる表示品位の低下を防止することができる。さらに、第二の気流５２により局所的に第一冷却対象６１または第二冷却対象６２を冷却することができる。
【００３８】
また、本実施形態の画像投影装置１において、外側筐体１０は、第一吸気口３１と排気口４０とを対向する面（第五の壁１５，第六の壁１６）にそれぞれ配置し、内側筐体６０は、第一冷却対象６１と第二冷却対象６２とを対向する面にそれぞれ配置し、第一冷却対象６１（第二冷却対象６２）が設けられた面が、外側筐体１０の第一吸気口３１（排気口４０）が設けられた第五の壁１５（第六の壁１６）に対して概ね垂直（８０〜９０度）になるように配置する。
これにより、第一吸気口３１から排気口４０に向かう第一の気流５１が、外側筐体１０の第一冷却対象６１が露出する面および第二冷却対象６２が露出する面に沿って流れやすくなり（排気効率が向上し）、延いては第一冷却対象６１および第二冷却対象６２の冷却効率を向上させることができる。
【００３９】
また、本実施形態の画像投影装置１において、内側筐体６０は、第一冷却対象６１または第二冷却対象６２が露出していない面であり、かつ外側筐体１０の第一吸気口３１または排気口４０が設けられている面と対向しない面（第三の壁１３または／および第四の壁１４）に外側筐体１０と係合する図示しない係合部を設けてもよい。言い換えれば、前記光源を冷却する第一通気路Ｐ１および前記反射型表示素子を冷却する第二通気路Ｐ２以外である第三通気路Ｐ３または／および第四通気路Ｐ４に、外側筐体１０と内側筐体６０とを係合する前記係合部を設けてもよい。
これにより、第一吸気口３１から排気口４０に向かう第一の気流５１が、第一冷却対象６１を冷却する第一通気路Ｐ１および第二冷却対象６２を冷却する第二通気路Ｐ２に流れやすくなり、冷却効率を向上させることができる。
【００４０】
また、本実施形態の画像投影装置１において、第二吸気口３２は、第二冷却対象６２に概ね垂直の方向から当たるように第二の気流５２を向けてもよい。斯かる構成により、第二冷却対象６２に勢いよく第二の気流５２が吹きつけられるため、第二冷却対象６２の冷却効率が向上する。また、第二冷却対象６２が、内側筐体６０の面から窪んだ位置に配置されている場合でも、第二冷却対象６２に直接的に第二の気流５２を吹き付けることが可能である。
【００４１】
以上が、本実施形態における画像投影装置１の説明であるが、本発明は上記実施形態および図面によって限定されるものではない。これらに変更（構成要素の削除も含む）を加えることができるのはもちろんである。以下に変形例の一例を示す。
【００４２】
上記実施形態では、第二の気流５２が前記反射型表示素子の熱が伝わる第二冷却対象６２を冷却していたが、第二の気流５２は、前記光源の熱が伝わる第一冷却対象６１を冷却してもよい。
【００４３】
また、上記実施形態では、内側筐体６０から外側に露出する冷却対象は、２つ（第一冷却対象６１、第二冷却対象６２）であったが、３つ以上であってもよい。
【００４４】
（第二実施形態）
第二実施形態の画像投影装置２０１は、図５に示されるように、ファン２５０が、排気口２４０の近い側ではなく、第一吸気口２３１に近い側に配設される点で上記実施形態と異なる。
【００４５】
第二実施形態の第一吸気口２３１は、例えば矩形状の開口で外側筐体２１０に形成され、この第一吸気口２３１にファン２５０が配置される。上記実施形態のファン５０は、外側筐体１０内の空気を排出するものであったが、第二実施形態のファン２５０は、外側筐体１０内に空気を流入させることで第一の気流５１を生成する。
【００４６】
また、第二実施形態の画像投影装置２０１は、上記実施形態と同様に、前記反射型表示素子を冷却する第二通気路Ｐ２における外側筐体１０（第二の壁１２）と内側筐体６０との間の距離Ｄ１は、前記光源を冷却する第一通気路Ｐ１における外側筐体１０（第一の壁１１）と内側筐体６０との間の距離Ｄ２より小さくなるように、内側筐体６０を外側筐体１０内に配置している。これによりファン２５０が流入する第一の気流５１の第二通気路Ｐ２における流速が速くなり、第二冷却対象６２を迅速に冷却することができる。さらに、第二通気路Ｐ２内の静止圧が小さくなることから第二吸気口３２から空気が流入しやすくなり、第二の気流５０２に基づいても第二冷却対象６２を確実に冷却することができる。
また、ファン５０の位置は、排気口４０付近ではなく、第一吸気口３１付近や通気路Ｐ内に配置されてもよい。
【００４７】
（第三実施形態、第四実施形態）
上記実施形態の第二冷却対象６２は、内側筐体６０の外壁から内側に窪んだ凹部Ｓに配置されていたが、図６に示される第三実施形態の画像投影装置３０１の第二冷却対象３６２のように、内側筐体６０の外壁から外側に突出していてもよい。具体的には、第三実施形態の第二冷却対象３６２ａは、前記反射型表示素子に接続され、一部が内側筐体６０の外側に突出した放熱フィン７２ｆを有するヒートシンク７２であってもよい。
また、第四実施形態の画像投影装置４０１の第二冷却対象４６２は、図７に示されるように、放熱フィン７３ｆを有し、凹部Ｓに配置される小型のヒートシンク７３であってもよい。
【００４８】
また、第二吸気口３２の先端は内側筐体６０に設けられる凹部Ｓ内まで延在してもよい。斯かる構成により、第二の気流５２を第一の気流５１の影響を受けることなく第二冷却対象６２に直接吹き当てることができるため、第二冷却対象６２を効率よく空冷することができる。
【００４９】
また、第一冷却対象６１を冷却する第一通気路Ｐ１および第二冷却対象６２を冷却する第二通気路Ｐ２に第一の気流５１が流れやすくするために、第三通気路Ｐ３または／および第四通気路Ｐ４を小さくするように外側筐体１０と内側筐体６０とを接触させてもよく、または外側筐体１０と内側筐体６０との間に第一の気流５１の流れを遮る図示しない遮蔽部を設けてもよい。
【００５０】
また、上記実施形態では、投射部６３は、内側筐体６０の外側に突出するように設けられていたが、突出していなくてもよい。この場合、外側筐体１０に形成される透光部２０には、投射部６３から出射される前記投影光を透過させる図示しない透光部材を設ける。これにより、外側筐体１０に設けられる内外を繋ぐ開口を、実質的に、吸気口（第一吸気口３１，第二吸気口３２）と排気口４０のみとすることが可能である。
【００５１】
（第五実施形態、第六実施形態）
また、上記実施形態では、外側筐体１０は、第一吸気口３１と排気口４０とを対向した面に配置していたが、例えば図８に示される第五実施形態画像投影装置５０１のように、第一吸気口５３１と排気口４０とを隣り合った面に配置してもよく、図９に示される第六実施形態の画像投影装置６０１ように、第一吸気口６３１と排気口６４０とを同じ面内に配置してもよい。また、図９に示されるように、ファン６５０は、遠心方向に送風する遠心ファンを適用してもよい。
【符号の説明】
【００５２】
１      画像投影装置
１０      外側筐体（第二筐体）
２０      透光部
３１      第一吸気口
３２      第二吸気口
３３      導流壁
４０      排気口
５０      ファン
６０      内側筐体（第一筐体）
６１      第一冷却対象
６２      第二冷却対象
６３      投射部
７１      ヒートシンク
７２      ヒートシンク
７３      ヒートシンク
７４      ヒートシンク
５１      第一の気流
５１ａ    風向を調整された第一の気流
５２      第二の気流
Ｐ      通気路
【図１】
2017156482.tif 000003
【図２】
2017156482.tif 000004
【図３】
2017156482.tif 000005
【図４】
2017156482.tif 000006
【図５】
2017156482.tif 000007
【図６】
2017156482.tif 000008
【図７】
2017156482.tif 000009
【図８】
2017156482.tif 000010
【図９】
2017156482.tif 000011